(57)【要約】【課題】蔓性植物の成長に伴って延びる蔓の誘導や処理が簡単に行える植物栽培用の支柱体を提供する。【解決手段】複数本の縦柱２を複数個の保持枠３で結合した植物栽培用の支柱体１であって、前記保持枠３に植物の蔓を引掛けるためのフック状の蔓係止部１１を設け、延びた蔓を蔓係止部１１に引掛けることで、蔓の誘導や処理を行う。【選択図】図１
0003170685.tif 000002
【実用新案登録請求の範囲】
【請求項１】
複数本の縦柱と、各縦柱を上下複数箇所の位置で互いに連結し、前記縦柱を所定の間隔をおいて保持する複数個の保持枠とからなる植物栽培用の支柱体であって、前記保持枠に、植物の蔓を引掛けるための蔓係止部を設けた植物栽培用の支柱体。
【考案の詳細な説明】
【技術分野】
【０００１】
この考案は、アサガオ等の蔓性植物を栽培する場合に用いる植物栽培用の支柱体、更に詳しくは、蔓性植物の成長に伴う蔓の処理が円滑に行うことができる植物栽培用の支柱体に関する。
【背景技術】
【０００２】
例えば、アサガオ等の蔓性植物を植木鉢で栽培する場合に用いられている植物栽培用の支柱体は、複数本の縦柱と、この縦柱の上下複数箇所の位置を連結することで、前記縦柱を所定間隔の配置に保持する保持枠で組立てられ、植木鉢の上に起立状となるよう配置して使用される。
【０００３】
ところで、アサガオ等の蔓性植物は、成長と共に蔓が延びるため、延びた蔓を支柱体の縦柱や保持枠に直接巻きつけて絡ませたり紐で止めて処理しなければならない。
【０００４】
従来、折り畳み式の植物栽培用の支柱体は、合計四本の縦柱と枠状に形成した複数の保持枠とからなり、前記縦柱は二本を一組とし、保持枠を挟んで二組の縦柱を対向するように配置した状態で、保持枠の途中に縦柱を交差させ、この交差部分を回転可能となるよう結合し、このようにして、二本を一組とする縦柱を所定間隔に保持すると共に、二組の縦柱を対面状に保持することで支柱体が組立てられている（例えば、特許文献１参照）。
【先行技術文献】
【特許文献】
【０００５】
【特許文献１】実用新案登録第３０４１７１６号公報
【考案の概要】
【考案が解決しようとする課題】
【０００６】
ところで、従来の支柱体における保持枠は、単なる枠状に形成されたものであるので、成長して延びる蔓性植物の蔓を誘引したり固定するための処理を行う場合、保持枠に対して蔓を直接巻きつけるか紐等で固定するようにしなければならず、このような作業は手間がかかり、特に蔓性植物の成長に合わせてこのような作業を繰り返し行うのは面倒であり、その改善が望まれているのが現状である。
【０００７】
そこで、この考案の課題は、成長して延びる蔓性植物の蔓を単に引掛けるだけで処理することができ、蔓を巻きつけたり紐等で固定する面倒な作業を不要にし、蔓性植物の育成が手間をかけずに行える便利な植物栽培用の支柱体を提供することにある。
【課題を解決するための手段】
【０００８】
上記の課題を解決するため、この考案は、複数本の縦柱と、各縦柱を上下複数箇所の位置で互いに連結し、前記縦柱を所定の間隔をおいて保持する複数個の保持枠とからなる植物栽培用の支柱体であって、前記保持枠に、植物の蔓を引掛けるための蔓係止部を設けたものである。
【０００９】
ここで、上記保持枠は、例えば、上部保持枠と中間保持枠及び下部保持枠からなり、上部から下部に位置するものほど縦柱保持間隔が短くなるように形成され、合計四本の縦柱を各保持枠で結合することにより下部が狭くなる傾斜状の配置となる支柱体が組みあがり、上部保持枠と中間保持枠及び下部保持枠のそれぞれに蔓係止部が設けられている。
【考案の効果】
【００１０】
この考案によると、縦柱を結合する保持枠に植物の蔓を引掛けるための蔓係止部を設けたので、蔓性植物の成長に伴って延びる蔓を前記蔓係止部に引掛けるようにするだけで、蔓の誘引や固定の処理が行え、従来のような蔓を直接巻きつけたり紐等で固定する作業が不要になり、蔓性植物の育成が手間をかけずに行えるようになる。
【図面の簡単な説明】
【００１１】
【図１】この考案に係る植物栽培用の支柱体において、四本の縦柱を用いた第１の実施の形態を示す使用状態の斜視図
【図２】（ａ）は上記植物栽培用の支柱体を折り畳んだ時の縦柱の納まり状態を示す斜視図、（ｂ）は（ａ）の矢印ｂ−ｂから見た柱保持杆の拡大縦断面図
【図３】この考案に係る植物栽培用の支柱体において、四本の縦柱を用いた第２の実施の形態を示す使用状態の斜視図
【考案を実施するための形態】
【００１２】
以下、この考案の実施の形態を図示例に基づいて説明する。
【００１３】
図１と図２は、この考案の植物栽培用の支柱体において、合計四本の縦柱を用いた支柱体の第１の実施の形態を示している。
【００１４】
図１のように、植物栽培用の支柱体１は、二本を一組とする合計四本の縦柱２と、この縦柱２を四方に配置した状態で結合する複数の保持枠３とからなり、前記縦柱２は所定の長さを有する合成樹脂や金属のパイプを用い、また、保持枠３は合成樹脂を用いて矩形の枠状に形成されている。
【００１５】
上記保持枠３は、一組となる二本の縦柱２を所定の間隔で結合する長い棒状となる一対の柱保持杆４と、両柱保持杆４の端部同士を上下方向に回動可能なヒンジ機構５を用いて結合する長い棒状の連結杆６とで矩形の枠状に形成され、前記柱保持杆４は、図２（ｂ）のように、その両端部寄りの内面側の位置に、縦柱２を交差状に保持する縦柱保持部７と、この縦柱保持部７を挟む一方又は両側の位置に相手縦柱２が納まる収納部８が設けられている。
【００１６】
上記した一対の柱保持杆４の端部と連結杆６の端部を結合するヒンジ機構５は、図２のように、柱保持杆４の端部に二又片５ａを設け、連結杆６の端部に設けた枢止片５ｂを前記二又片５ａ間に挿入し、二又片５ａと枢止片５ｂの嵌り合う部分を柱保持杆４の長さ方向に平行する枢止ピン５ｃで結合して形成され、このヒンジ機構５によって組立てられた保持枠３は、二本の柱保持杆４が水平状態の姿勢を保持したまま上下に相対回動できるような構造になっている。
【００１７】
図示の場合、保持枠３は、上部の保持枠３ａと中間の保持枠３ｂ及び下部の保持枠３ｃの三種類を用い、連結杆６は同じ長さであるが、上部から下部に位置する保持枠３ほど柱保持杆４の長さ及びその両端に設けた縦柱保持部７の間隔が少し短くなるように形成され、各保持枠３ａ〜３ｃで合計四の縦柱２を下部が狭くなる傾斜状の配置に結合するようになっている。
【００１８】
上記のように、各保持枠３ａ〜３ｃで縦柱２を結合することにより、一組となる二本の縦柱２と上下の各柱保持杆４とで、二本の縦柱２が下部で狭くなるよう傾斜した梯子状の支柱半体９と１０が形成され、支柱体１は同じ条件の二組の支柱半体９と１０が対向する配置に組立てられている。
【００１９】
上記した各保持枠３ａ〜３ｃの内面側には、図１と図２のように、柱保持杆４と連結杆６のそれぞれにおける一方又は両方において、植物の蔓を引掛けて係止するためのフック状の蔓係止部１１が柱保持杆４と連結杆６の長さ方向に沿う配置で両端部寄りの位置に設けられている。
【００２０】
このフック状の蔓係止部１１は、各保持枠３ａ〜３ｃの内面側において、図２（ｂ）に示すように、柱保持杆４の端部寄りの位置から内側に向けて突出する根元部１１ａと、この根元部１１ａから柱保持杆４の長さ方向の中央側に向けて屈曲し、この柱保持杆４の長さ方向に沿う係止腕１１ｂとで平面Ｌ字状に形成され、柱保持杆４と係止腕１１ｂの間が係止腕１１ｂの自由端側で開放する係止溝１１ｃとなり、前記柱保持杆４には係止腕１１ｂの自由端が臨む位置に、係止腕１１ｂ側に向けて突出する円弧状のような突起１２が設けられ、前記係止溝１１ｃの開放端部の間隔を突起１２によって少し狭くし、係止溝１１ｃに挿入した蔓がこの係止溝から抜けにくくなるようにしている。
【００２１】
上記連結杆６のフック状の蔓係止部１１も、図２（ａ）のように上記と同様の条件で設けられ、柱保持杆４と連結杆６に対して蔓係止部１１は、柱保持杆４又は連結杆６を形成する合成樹脂によって柱保持杆４又は連結杆６と一体成形されている。
【００２２】
図３は、この考案の植物栽培用の支柱体において、合計四本の縦柱を用いた支柱体の第２の実施の形態を示している。なお、上記した第１の実施の形態と同一部分には同一符号を付して説明する。
【００２３】
図３のように、植物栽培用の支柱体１は、合計四本の縦柱２と、この縦柱２を四方に配置した状態で結合する上下複数の保持枠３とからなり、前記縦柱２は所定の長さを有する合成樹脂や金属のパイプを用い、また、保持枠３は合成樹脂を用いて四隅を丸くした矩形の枠状に形成され、各保持枠３は上部の保持枠３ａ、中間の保持枠３ｂ、下部の保持枠３ｃと下に行くほど小さくなり、合計四本の縦柱２を上に向かって漸次拡開状の配置となるように結合するようになっている。
【００２４】
このような第２の実施の形態の支柱体１における各保持枠３は、周囲四箇所の位置に縦柱の結合保持部１３が設けられ、更に、各結合保持部１３間で両端部寄りの位置に、フック状の蔓係止部１１が、上記第１の実施の形態と同じ条件で設けられている。
【００２５】
なお、植物栽培用の支柱体１の基本構造は、上記第１と第２の実施の形態に限るものではなく、複数本の縦柱と、各縦柱を上下複数箇所の位置で互いに連結し、前記縦柱を所定の間隔をおいて保持する複数個の保持枠とで構成されているものであればよく、例えば、保持枠が円弧状であったり、保持枠が金属製である場合でもよく、何れにしても、保持枠に所要数の蔓係止部１１を設けた構造であればよい。
【００２６】
この考案の支柱体１は上記のような構成であり、図１と図３に示すように、四本の縦柱２を各保持枠３ａ〜３ｃで結合し、縦柱２が下部すぼまりの傾斜状で四方に起立配置され、各縦柱２の下端を植木鉢Ａに取付けることにより、植木鉢Ａの上や地面に起立状となるよう配置し、蔓性植物の栽培に使用するものである。
【００２７】
上記のような使用状態において、上に延びていく蔓性植物は支柱体１の縦柱２と保持枠３に沿わせることで全体を見栄えの良いように仕上げていくものであるが、このとき蔓性植物から生じた蔓の処理は、保持枠３ａ〜３ｃに設けたフック状の蔓係止部１１によって形成された係止溝１１ｃ内に蔓を開放端から差込み、蔓を係止溝１１ｃで保持することにより、蔓の延びる方向を誘導処理することができ、蔓が支柱体１の外側に飛び出して全体が不体裁になるのを防ぐことができる。
【００２８】
このように、蔓性植物から生じた蔓の処理は、蔓を係止溝１１ｃ内に差し込んで蔓係止部１１に係止するだけでよく、蔓を縦柱２や保持枠３に絡むように巻き付けたり紐等で縛るような作業が不要になり、蔓性植物の育成が手間をかけずに行えるようになる。
【００２９】
なお、図１と図３で示した第１及び第２の実施形態の支柱体１は、合計四本の縦柱２を用いて組み立てた例を示したが、支柱体１の構成に用いる縦柱２の本数はこれに限定されるものではなく、少なくとも三本以上であればよく、例えば、五本や六本等の縦柱を用いて支柱体１を構成することもできる。
【符号の説明】
【００３０】
１          支柱体
２          縦柱
３          保持枠
３ａ        上部の保持枠
３ｂ        中間の保持枠
３ｃ        下部の保持枠
４          柱保持杆
５          ヒンジ機構
６          連結杆
７          縦柱保持部
８          収納部
９、１０    支柱半体
１１        フック状の蔓係止部
１１ａ      根元部
１１ｂ      係止腕
１１ｃ      係止溝
１２        突起
１３        結合保持部
【図１】
0003170685.tif 000003
【図２】
0003170685.tif 000004
【図３】
0003170685.tif 000005
【手続補正書】
【提出日】平成23年7月25日(2011.7.25)
【手続補正１】
【補正対象書類名】実用新案登録請求の範囲
【補正対象項目名】全文
【補正方法】変更
【補正の内容】
【実用新案登録請求の範囲】
【請求項１】
複数本の縦柱と、各縦柱を上下複数箇所の位置で互いに連結し、前記縦柱を所定の間隔をおいて保持する複数個の保持枠とからなる植物栽培用の支柱体であって、前記保持枠に、この保持枠との間に植物の蔓を引掛けるための係止溝を形成するフック状の蔓係止部を設け、前記係止溝が蔓係止部の自由端側で開放されている植物栽培用の支柱体。
【手続補正２】
【補正対象書類名】明細書
【補正対象項目名】０００８
【補正方法】変更
【補正の内容】
【０００８】
上記の課題を解決するため、この考案は、複数本の縦柱と、各縦柱を上下複数箇所の位置で互いに連結し、前記縦柱を所定の間隔をおいて保持する複数個の保持枠とからなる植物栽培用の支柱体であって、前記保持枠に、この保持枠との間に植物の蔓を引掛けるための係止溝を形成するフック状の蔓係止部を設け、前記係止溝が蔓係止部の自由端側で開放されているようにしたものである。